(57)【要約】      （修正有）【課題】容易に靴内空間を拡張可能な靴内挿入具を提供する。【解決手段】靴内挿入具１は、靴の爪先近傍に挿入される爪先部１０と、靴の踵近傍に挿入される踵部２０、踵部と爪先部を連結する底部３０と、爪先部から靴の履き口側に延びて外側に延びる傾斜部４０を備える。更に傾斜部４０は、自身または爪先部の弾性変形により底部及び踵部に接近及び離反可能な状態で爪先部１０に支持されるようにした。【選択図】図２
0003190966.tif 000002
【実用新案登録請求の範囲】
【請求項１】
靴の爪先近傍に挿入される爪先部と、
靴の踵近傍に挿入される踵部と
前記踵部と前記爪先部を連結する底部と、
前記爪先部から靴の履き口側に延びて該履き口より外側に延びる傾斜部と、を備え、
前記傾斜部は、前記底部に接近及び離反可能な状態で前記爪先部に支持されていることを特徴とする、
靴内挿入具。
【請求項２】
前記傾斜部が前記底部に接近する際に、前記傾斜部と前記底部を離反させる方向に付勢する傾斜部用弾性構造を備えることを特徴とする、
請求項１に記載の靴内挿入具。
【請求項３】
前記爪先部は、爪先の右側に配置される右爪先片と爪先の左側に配置される左爪先片を備えており、
前記底部は、前記踵部と前記右爪先片を連結する右底片と、前記踵部と前記左爪先片を連結する左底片を備えており、
前記右爪先片と前記左爪先片は、互いに接近及び離反可能な状態で前記右底片と前記左底片に支持されていることを特徴とする、
請求項１又は２に記載の靴内挿入具。
【請求項４】
前記右爪先片と前記左爪先片が互いに接近する際に、前記右爪先片と前記左爪先片を離反させる方向に付勢する爪先部用弾性構造を備えることを特徴とする、
請求項３に記載の靴内挿入具。
【請求項５】
前記傾斜部の前記履き口よりも外側の領域にフックが設けられることを特徴とする、
請求項１乃至４のいずれかに記載の靴内挿入具。
【請求項６】
前記爪先部の近傍に、靴を押し広げるための拡張部材が配置されることを特徴とする
請求項１乃至６のいずれかに記載の靴内挿入具。
【請求項７】
前記爪先部の近傍に、乾燥剤又は防臭剤が配置されることを特徴とする
請求項１乃至６のいずれかに記載の靴内挿入具。
【請求項８】
前記爪先部、前記踵部、前記底部、前記傾斜部が、一本の棒材を屈曲させて構成されることを特徴とする、
請求項１乃至７のいずれかに記載の靴内挿入具。
【請求項９】
前記傾斜部の上端近傍に、靴の幅方向に広がる拡張領域が形成されることを特徴とする、
請求項１乃至８のいずれかに記載の靴内挿入具。
【請求項１０】
靴の爪先近傍に挿入される爪先部と、
靴の踵近傍に挿入される踵部と
前記踵部と前記爪先部を連結する底部と、
前記爪先部から靴の履き口側に延びて該履き口より外側に延びる傾斜部と、を備え、
前記爪先部は、爪先の右側に配置される右爪先片と爪先の左側に配置される左爪先片を有し、
前記底部は、前記踵部と前記右爪先片を連結する右底片と、前記踵部と前記左爪先片を連結する左底片を有し、
前記傾斜部は、前記右爪先片から靴の履き口側に延びる右傾斜片と、前記左爪先片から靴の履き口側に延びる左傾斜片を有し、
前記踵部、前記右爪先片、前記左爪先片、前記右底片、前記左底片、前記右傾斜片、前記左傾斜片は、一本の棒材を屈曲させて構成されており、
前記傾斜部は、前記棒材の弾性変形によって、前記底部に接近及び離反可能な状態で前記爪先部に支持され、
前記右爪先片と前記左爪先片は、前記棒材の弾性変形によって、互いに接近及び離反可能な状態で前記右底片と前記左底片に支持されていることを特徴とする、
靴内挿入具。
【考案の詳細な説明】
【技術分野】
【０００１】
本考案は、靴を干したり、靴の形を整えたりする際に用いる靴内挿入具に関する。
【背景技術】
【０００２】
従来、靴の形を整える為にシューキーパーが用いられる。シューキーパーは、足のつま先側に挿入される部分と、靴の踵側に挿入される部分と、それらを繋ぐ突っ張り棒を備えている。シューキーパーを靴内に挿入し、爪先と踵の間を突っ張り棒で引き延ばすようにして靴の形を維持する。突っ張り棒は、靴のサイズに合わせて長さを調整できる棒や、屈曲させて柔軟に長さを調整できる金属バネ等が用いられる。なお、シューキーパーのつま先部分は、臭いを抑制し、湿気を吸収するような、シーダーのような堅い木材で作られるのが一般的であるが、プラスティック材料の場合もある。
【０００３】
濡れた靴を干す場合は靴干しハンガーが用いられる。靴干しハンガーは、一般的に、靴内に挿入される靴保持体と、この靴保持体を支持する吊るし具を備えており、この吊るし具を物干し竿等に吊り下げることで、靴を空中で乾燥させる（例えば、特許文献１参照）。
【先行技術文献】
【特許文献】
【０００４】
【特許文献１】実用新案登録第３１２４５４６号
【考案の概要】
【考案が解決しようとする課題】
【０００５】
しかしながら、女性用の靴や男性用の靴のように、つま先の形状が様々に異なる場合、完全な形状維持には専用のシューキーパーが必要になるという課題があった。また、従来のシューキーパーは靴干しハンガーとして用いることが出来ないという課題があった。
【０００６】
一方、従来の靴干しハンガーは、複雑な構造であるにも関わらず、靴保持体に靴をひっかけるだけであり、強い風が吹くと靴が落下しやすいという問題があった。また、従来の靴干しハンバーは、シューキーパーと兼用する機能を有しないという課題があった。
【０００７】
また、一般的な利用者は、シューキーパーのような完全な形状維持ではなく、防臭、乾燥目的で靴内をある程度拡張できれば十分であるという要望も考えられる。しかし、これを満足させるような靴内挿入具が存在しないという実情があった。
【０００８】
本考案は、斯かる実情に鑑みてなされたものであり、簡易な構成で靴内を拡張し、なおかつ、靴を運んだり、靴を干したりする際にそのまま利用可能な靴内挿入具を提供しようとするものである。
【課題を解決するための手段】
【０００９】
上記課題を解決する手段である靴内挿入具は、靴の爪先近傍に挿入される爪先部と、靴の踵近傍に挿入される踵部と前記踵部と前記爪先部を連結する底部と、前記爪先部から靴の履き口側に延びて該履き口より外側に延びる傾斜部と、を備え、前記傾斜部は、前記底部に接近及び離反可能な状態で前記爪先部に支持されていることを特徴とする。
【００１０】
上記手段に関連する靴内挿入具は、前記傾斜部が前記底部に接近する際に、前記傾斜部と前記底部を離反させる方向に付勢する傾斜部用弾性構造を備えることを特徴とする。
【００１１】
上記手段に関連する靴内挿入具の前記爪先部は、爪先の右側に配置される右爪先片と爪先の左側に配置される左爪先片を備えており、前記底部は、前記踵部と前記右爪先片を連結する右底片と、前記踵部と前記左爪先片を連結する左底片を備えており、前記右爪先片と前記左爪先片は、互いに接近及び離反可能な状態で前記右底片と前記左底片に支持されていることを特徴とする。
【００１２】
上記手段に関連する靴内挿入具は、前記右爪先片と前記左爪先片が互いに接近する際に、前記右爪先片と前記左爪先片を離反させる方向に付勢する爪先部用弾性構造を備えることを特徴とする。
【００１３】
上記手段に関連する靴内挿入具は、前記傾斜部の前記履き口よりも外側の領域にフックが設けられることを特徴とする。
【００１４】
上記手段に関連する靴内挿入具は、前記爪先部の近傍に、靴を押し広げるための拡張部材が配置されることを特徴とする。
【００１５】
上記手段に関連する靴内挿入具は、前記爪先部の近傍に、乾燥剤又は防臭剤が配置されることを特徴とする。
【００１６】
上記手段に関連する靴内挿入具の前記爪先部、前記踵部、前記底部、前記傾斜部が、一本の棒材を屈曲させて構成されることを特徴とする。
【００１７】
上記手段に関連する靴内挿入具は、前記傾斜部の上端近傍に、靴の幅方向に広がる拡張領域が形成されることを特徴とする。
【００１８】
上記課題を解決する手段である靴内挿入具は、靴の爪先近傍に挿入される爪先部と、靴の踵近傍に挿入される踵部と前記踵部と前記爪先部を連結する底部と、前記爪先部から靴の履き口側に延びて該履き口より外側に延びる傾斜部と、を備え、前記爪先部は、爪先の右側に配置される右爪先片と爪先の左側に配置される左爪先片を有し、前記底部は、前記踵部と前記右爪先片を連結する右底片と、前記踵部と前記左爪先片を連結する左底片を有し、前記傾斜部は、前記右爪先片から靴の履き口側に延びる右傾斜片と、前記左爪先片から靴の履き口側に延びる左傾斜片を有し、前記踵部、前記右爪先片、前記左爪先片、前記右底片、前記左底片、前記右傾斜片、前記左傾斜片は、一本の棒材を屈曲させて構成されており、前記傾斜部は、前記棒材の弾性変形によって、前記底部に接近及び離反可能な状態で前記爪先部に支持され、前記右爪先片と前記左爪先片は、前記棒材の弾性変形によって、互いに接近及び離反可能な状態で前記右底片と前記左底片に支持されていることを特徴とする。
【考案の効果】
【００１９】
本考案によれば、簡易な構成で靴内を確実に拡張できるという優れた効果を奏し得る。
【図面の簡単な説明】
【００２０】
【図１】本考案の実施の形態に係る靴内挿入具の（Ａ）上面図、（Ｂ）正面図、（Ｃ）側面図である。
【図２】同靴内挿入具の斜視図である。
【図３】同靴内挿入具を伸縮させる態様を示す（Ａ）上面図、（Ｂ）底面図、（Ｃ）正面図、（Ｄ）側面図である。
【図４】同靴内挿入具を靴に挿入する手法を示す斜視図である。
【図５】同靴内挿入具が靴に挿入された状態を示す（Ａ）上面図、（Ｂ）側面図である。
【図６】（Ａ）は同靴内挿入具で靴を干す場合を示す側面図であり、（Ｂ）は同靴内挿入具の他の例を示す上面図であり、（Ｃ）は同他の例の靴内挿入具の側面図である。
【図７】（Ａ）同靴内挿入具でサンダルを干す場合を示す斜視図であり、（Ｂ）は同靴内挿入具の変形例を示す斜視図である。
【図８】同靴内挿入具の他の例を示す（Ａ）斜視図、（Ｂ）側面図である。
【考案を実施するための形態】
【００２１】
以下、本考案の実施の形態を添付図面を参照して説明する。
【００２２】
図１及び図２は、本考案の実施形態に係る靴内挿入具１を示す。この靴内挿入具１は、爪先部１０、踵部２０、底部３０、傾斜部４０、フック５０を備える。なお、図２に示すように、爪先部１０、踵部２０、底部３０、傾斜部４０は１本の棒材（ここでは針金材）を変形させることで構成されているが、他の構造でも構わない。
【００２３】
爪先部１０は、靴の爪先近傍に挿入される。爪先部１０は、針金が上下方向に延びて構成され、爪先側に突出する湾曲形状となっており、側面から視た場合における靴の爪先形状に近似させている。詳細に爪先部１０は、靴内の爪先の右側に配置される右爪先片１２と、爪先の左側に配置される左爪先片１４を備えており、未使用時において、互いの間隔は靴幅よりも大きく設定されている。
【００２４】
踵部２０は、靴の踵近傍に挿入される。踵部１０は、針金が靴の幅方向に延びて構成され、踵側に突出する湾曲形状となっており、上面から視た場合における靴の踵形状に近似させている。
【００２５】
底部３０は、踵部２０と爪先部１０を連結する。詳細に底部３０は、踵部２０の右端と、右爪先片１２の下端を連結する針金となる右底片３２と、踵部２０の左端と左爪先片１４の下端を連結する針金となる左底片３４を備えている。既に述べたように、右爪先片１２と左爪先片１４の間隔は靴幅よりも広いことから、右底片３２と左底片３４を上面又は底面から視るとＶ字形状となる。この構造によって、右爪先片１２と左爪先片１４は、底部３０、踵部２０及び傾斜部４０の弾性変形により、互いに接近及び離反可能な状態で右底片３２と左底片３４に支持されている。
【００２６】
傾斜部４０は、爪先部１０から靴の履き口１１０の前縁（紳士靴の場合はベロ）側に向かって高くなるように傾斜状態で延びて、更にこの履き口１１０より外側に突出している（図５参照）。詳細に傾斜部４０は、右爪先片１２から靴の履き口１１０側に延びる針金となる右傾斜片４２と、左爪先片１４から靴の履き口１１０側に延びる針金となる左傾斜片４４を有する。更に傾斜部４０は、自身又は爪先部１０の弾性変形によって、底部３０及び踵部２０に接近及び離反可能な状態で爪先部１０に支持されている。
【００２７】
フック５０は、傾斜部４０の上端に設けられており、物干し竿や様々な場所に吊るすことを可能にする。なお、フック５０は、対象物にひっかけるフック部５２と、フック部５２を垂直軸に沿って回転させる垂直回転軸５４と、フック部５２を水平軸に沿って回転させる水平回転軸５６を備える。これにより、靴を干す際に、靴の自重によってフック５０と傾斜部４０の相対角度が最適化され、フック５０が対象物から外れ難くなる。
【００２８】
図３（Ｃ）（Ｄ）に示すように、この靴内挿入具１は、傾斜部４０が底部３０に接近する際に、傾斜部４０と底部３０を離反させる方向に付勢する傾斜部用弾性構造を備えている。本実施形態において、傾斜部用弾性構造は、爪先部１０の針金の弾性変形機能を主として活用している。なお、ここでは針金部１０自身の素材を利用して傾斜部４０と底部３０が離れる方向に付勢させているが、別途、専用のバネを設けるようにしても良い。
【００２９】
図３（Ａ）（Ｂ）に示すように、この靴内挿入具１は、右爪先片１２と左爪先片１３４が互いに接近する際に、右爪先片１２と左爪先片１４を離反させる方向に付勢する爪先部用弾性構造を備えている。本実施形態において、爪先部用弾性構造は、踵部２０及び傾斜部４０上端の針金の弾性変形機能を主として活用している。しかし、別途、専用のバネを設けるようにしても良い。
【００３０】
図４及び図５を参照して、靴用挿入具１を靴１００に挿入する手法を説明する。まず図４に示すように、利用者の手によって、傾斜部４０をつかみ、右傾斜片４２と左傾斜片４４を近づける。この結果、右爪先片１２と左爪先片１４が接近するので、これらを靴１００の履き口１１０内に挿入する。その後、傾斜部４０を下側（底部３０側）に押し下げることで、傾斜部４０と底部３０を接近させる。このようにすると、靴用挿入具１がコンパクトになるので（図３（Ｃ）の点線を参照）、右爪先片１２と左爪先片１４を爪先側へ更に押し込み、図５に示すように、踵部２０を履き口１１０内に進入させて踵に収める。この状態で手を開放すれば、傾斜部用弾性構造と爪先部用弾性構造によって、靴内で元の状態に戻ろうとするので、結果として、靴の内部空間を幅方向に拡張させることができる。
【００３１】
具体的には、図５（Ａ）のように、右爪先片１２と左爪先片１４が靴内で幅方向に広がって靴の内部空間を幅方向に拡張する。また、右爪先片１２と左爪先片１４が更に広がろうとすると、右爪先片１２と左爪先片１４が踵側へ移動しようとするが、底部３０と踵部２０がつっかえ棒となって、所定の場所に固定される。なお、右爪先片１２と左爪先片１４の拡張力を利用して踵部２０が踵に押し付けられるので、踵部２０が踵から外れ難くなる。
【００３２】
また図５（Ｂ）のように、爪先部１０を支点として、底部３０に対して傾斜部４０が離れようとすると、底部３０に対する傾斜部４０の傾斜角Ａが大きくなる。結果として、靴の内部空間を上下方向に拡張させることができる。傾斜角Ａを大きくして傾斜部４０が更に離れようとすればするほど、爪先部１０が踵側へ抜けだそうとするが、底部３０と踵部２０がつっかえ棒となって、踵部２０が靴内の踵に押し付けられる。このように、傾斜部用弾性構造と爪先部用弾性構造によって、靴の内部空間を拡張させつつ、同時に靴を確実に保持することを実現している。
【００３３】
例えば図６（Ａ）に示すように、フック５０を物干し竿に吊るした場合、靴の自重Ｇによって、底部３０に対する傾斜部４０の傾斜角Ａが大きくなろうとするが、その反作用として、踵部２０が靴内の踵に強く押し付けられるので、靴が靴用挿入具１から外れることが無い。結果、簡単な挿入動作で、靴の内部空間を拡張させつつ、靴を乾燥させることができる。
【００３４】
ちなみに、図７（Ａ）に示すように、踵が無いサンダル２００等を干す場合は、甲部材２１０に対して、履き口２０１Ａ側から爪先側へ踵部２０及び底部３０を挿入することが好ましい。結果、爪先部１０が甲部材２１０の履き口を受け止めて、サンダル２００も確実に吊り下げることが出来る。例えば図７（Ｂ）のように、フック５０のフック部５２を、水平回転軸５６を利用して回動させることで、右底片３２及び左底片３４の間を表側から裏側に通過させて、踵部２０とフック部５２を係合させることが好ましい。このようにすると、サンダル２００の甲部材２１０を完全に挟み込むことができる。この際、踵部２０をフック５０側へ屈曲させておけば、フック部５２を踵部２０に係合させ易いので便利である。
【００３５】
なお、上記実施形態では、傾斜部４０の上端にフック５０が形成される場合を例示したが、図６（Ｂ）に示すように、フックに代えて（又はフックを兼ねるようにして）傾斜部４０の上端に拡張領域８０を設けることが好ましい。この拡張領域８０は、少なくとも靴１００の幅方向に拡張する。結果、図６（Ｃ）に示すように、拡張部４０が下側（床側）となるように配しても、拡張領域８０によって靴１００の姿勢を安定させることができる。結果、靴１００を積み上げて保管することが可能になる。
【００３６】
また、上記実施形態では、爪先部１０が上下方向に湾曲した針金部材で構成される場合を例示したが、例えば図８（Ａ）に示すように、靴内の爪先空間に近似するような立体的な拡張部材６０を設けることも好ましい。この際は、右拡張部材６２と左拡張部材６４を設けておき、二つが接近した時に爪先の内部空間の立体形状に近似させることが好ましい。
【００３７】
更に図８（Ｂ）に示すように、爪先部１０の近傍に、乾燥剤又は防臭剤７０を配置することも好ましい。このようにすると、靴内を簡単に乾燥・防臭することができる。上記拡張部材６０を乾燥剤、防臭剤としても良い。
【００３８】
更に本実施形態では、一本の針金材を屈曲させて爪先部１０、踵部２０、底部３０、傾斜部４０を構成する場合を例示したが、本考案はこれに限定されない。プレート状や他の棒状部材等、様々な構造材を用いて構成しても良い。本考案は、上記した実施の形態に限定されるものではなく、本考案の要旨を逸脱しない範囲内において種々変更を加え得ることは勿論である。
【符号の説明】
【００３９】
１      靴内挿入具
１０    爪先部
１２    右爪先片
１４    左爪先片
２０    踵部
３０    底部
３２    右底片
３４    左底片
４０    傾斜部
４２    右傾斜片
４４    左傾斜片
５０    フック部
【図１】
0003190966.tif 000003
【図２】
0003190966.tif 000004
【図３】
0003190966.tif 000005
【図４】
0003190966.tif 000006
【図５】
0003190966.tif 000007
【図６】
0003190966.tif 000008
【図７】
0003190966.tif 000009
【図８】
0003190966.tif 000010